(57)【特許請求の範囲】
【請求項１】
複数のノードを順次接続してなる通信ネットワークにおいて、回線の送信元ノードを示すソースノードＩＤと受信先ノードを示すディスティネーションノードＩＤとからなるテーブルを、該ノードの主信号の上流側において上流側ノードからの受信テーブルと上流側ノードへの送信テーブルとに区分して設定し、該ノードの主信号の下流側において下流側ノードからの受信テーブルと下流側ノードへの送信テーブルとに区分して設定した回線設定テーブルを各ノードに対応して備えることによって、複数の回線設定の管理を行なうようにした多重化装置において、
下流側のノードにおいて回線設定を削除したとき、特定の値を前記ソースノードＩＤとディスティネーションノードＩＤとに挿入した送信テーブルを作成して上流側へ送信することによって、
上流側のノードにおいて、該ノードの下流側の受信テーブルにおける、前記ソースノードＩＤとディスティネーションノードＩＤとが特定の値であることを検出したとき、該上流側のノードにおいて該回線の削除可能を判断することを特徴とする回線設定削除制御方法。
【請求項２】
前記下流側のノードにおいてソースノードＩＤとディスティネーションノードＩＤとに挿入する特定の値が同一であることを特徴とする請求項１に記載の回線設定削除制御方法。
【請求項３】
前記下流側のノードにおいてソースノードＩＤとディスティネーションノードＩＤとに挿入する特定の値が当該下流側のノードを示すＩＤであることを特徴とする請求項１に記載の回線設定削除制御方法。
【請求項４】
複数のノードを順次接続してなる通信ネットワークにおける各ノードにおいて、
回線の送信元ノードを示すソースノードＩＤと受信先ノードを示すディスティネーションノードＩＤとからなるテーブルを、該ノードの主信号の上流側において上流側ノードからの受信テーブルと上流側ノードへの送信テーブルとに区分して設定し、該ノードの主信号の下流側において下流側ノードからの受信テーブルと下流側ノードへの送信テーブルとに区分して設定した回線設定テーブルを格納するデータベースと、
ユーザから回線設定削除を指示するコマンドを受けたとき、前記データベースに格納されている下流側の受信テーブルにおいてソースノードＩＤとディスティネーションノードＩＤとが特定の値であることを検出したことによって、回線削除命令を出力する回線削除判断部と、
主信号の上流側および下流側における他ノードからの受信回線設定テーブルを前記データベースに格納するとともに、該データベースに格納された他ノードへの送信回線設定テーブルを主信号の上流側および下流側に送出し、前記回線削除命令を受けたとき、前記データベースにおける上流側への送信回線設定テーブルのソースノードＩＤとディスティネーションノードＩＤに特定の値を挿入する処理を行なう制御部とを備えてなることを特徴とする回線設定削除制御装置。
【請求項５】
前記制御部が、上流側への送信回線設定テーブルのソースノードＩＤとディスティネーションノードＩＤに挿入する特定の値が同一であり、前記回線削除判断部が下流側の受信テーブルにおけるソースノードＩＤとディスティネーションノードＩＤとにおいて検出する特定の値が同一であることを特徴とする請求項４に記載の回線設定削除制御装置。
【請求項６】
前記制御部が、上流側への送信回線設定テーブルのソースノードＩＤとディスティネーションノードＩＤに挿入する特定の値が当該ノードを示すＩＤであり、前記回線削除判断部が下流側の受信テーブルにおけるソースノードＩＤとディスティネーションノードＩＤとにおいて検出する特定の値が該下流側のノードを示すＩＤであることを特徴とする請求項４に記載の回線設定削除制御装置。
【発明の詳細な説明】
【０００１】
【発明の属する技術分野】
本発明は、多重化装置における回線設定削除制御方法および装置に関し、特に、この場合に、回線設定の誤削除を自動的に防止できるようにすることを目的とするものである。
【０００２】
複数のノードを有し、任意のノードにおいて信号のアッド／ドロップを行なう多重化システムにおいては、回線の接続状態を示す回線設定テーブルを用いて、各ノードにおける回線設定の管理を行う方式がとられているが、近年の高度情報化によって通信回線の安全性確保手段の高度化が要求されているのに伴って、保護設定の自動化を行う回線設定制御方式が要求されている。
【０００３】
本発明においては、信号が疎通している可能性のある回線における、回線設定削除可能なノードを自動的に判断することによって、回線設定の誤削除を確実に防止することが可能な方法および装置を提供する。
【０００４】
【従来の技術】
従来の多重化装置における回線設定保護方式は、回線設定とは別に、回線設定の保護設定を設けることによって、保護設定されている回線設定の削除を制限することによって実現していた。
【０００５】
このため、回線設定の削除を実行しようとする場合には、保守者が回線設定に応じて、信号を終端しているノードまで追跡して、削除可能であることを確認した上で、保護設定を削除したのち、回線設定を削除する方法がとられていた。
【０００６】
図９は、従来の回線設定の削除方法を説明するものであって、図示のようにノードＡ，Ｂ，Ｃを使用していた回線において、ノードＢの回線１を削除する場合における、保守者の行う処理手順を例示している。
【０００７】
(a) ノードＢの回線１の接続先である、ノードＣの回線設定の有無を確認する。保守者は、ノードＣの回線１の回線設定がなければ、信号が既に不通になっているので、ノードＣの回線１の回線設定を削除可能であると判断する。
(b) ノードＢの回線１の保護設定を削除する。
(c) ノードＢの回線１の回線設定を削除する。
【０００８】
【発明が解決しようとする課題】
多重化装置においては、回線を複数具備していて、ノードごとに回線設定を行なって、回線を接続することによって信号を疎通させるようにしている。この際、特定の回線を使用しなくなって回線設定を削除する場合に、削除可能な状態であることは、削除しようとするノードにおける、回線設定状態だけでは判断できない。
【０００９】
従って、従来の多重化装置では、保守者は、他のノードの回線設定状態も確認しなければ、回線削除の処理を行なうことができなかった。また、誤操作による回線設定の誤削除については、確実な回避手段がなかった。
【００１０】
本発明は、このような従来技術の課題を解決しようとするものであって、回線設定テーブルを用いて、ノードにおける回線設定の管理を行うようにした多重化装置において、回線設定削除の可否の判断を自動化することによって、回線削除の操作を簡略化するとともに、誤操作を防止できるようにすることを目的としている。
【００１１】
【課題を解決するための手段】
複数のノードを有するネットワークにおいて、ノード間のチャネルの設定状態を示すために、回線（チャネル）の送信元ノードと受信先ノードとが表示されている回線設定テーブルを各ノードに対応して設けて、回線接続を管理する方法が用いられている。なおこのような回線設定テーブルについては、特開平８−７９２９０号公報において、詳細に記載されている。
【００１２】
図１は、回線設定テーブルの構成例を示したものであって、複数のノードからなる回線中の、一つのノードにおける回線設定テーブルを例示し、(a) はノードにおける回線の信号伝送状態を示し、(b) は回線設定テーブルの内容を示している。
【００１３】
回線設定テーブルは、伝送方向（ＥＡＳＴ→ＷＥＳＴおよびＷＥＳＴ→ＥＡＳＴ）の異なる回線ごとに、ノードの一方の側（ＥＡＳＴ側）と他方の側（ＷＥＳＴ側）とにおける、受信（ＲＣＶ）と送信（ＴＲＭＴ）のグループごとに、回線の接続先を表示することによって設定される。この場合の接続先は、Ｓによってソース（送信元）ノードを表し、Ｄによってディスティネーション（受信先）ノードを表し、ノード名をＩＤ化した数字によって表示する。
【００１４】
回線設定テーブルは、それぞれの回線の信号が、ソースノードからネットワークに入力（アッド）され、ディスティネーションノードから出力（ドロップ）されることを示している。
【００１５】
回線設定テーブルは、回線設定（アッド／ドロップ／スルー）に応じて異なる方法によって、ノード間においてノードのＩＤを送受信することによって、それぞれのノードに対応して構築される。
【００１６】
図２は、回線接続テーブルの構築方法を説明するものであって、(a) はノードＡからノードＣに回線が接続されている状態を示し、(b) はこの状態におけるノードＢの回線設定テーブルを示している。
【００１７】
アッド設定の場合は、主信号の伝送方向（下流側）の送信回線設定テーブルのソースノードに自ノードのＩＤを挿入し、ディスティネーションノードに主信号の伝送方向（下流側）の受信回線設定テーブルのディスティネーションノードのＩＤをそのまま挿入して、回線設定テーブルを送信する。
【００１８】
ドロップ設定の場合は、主信号の伝送方向と逆方向（上流側）の送信回線設定テーブルのディスティネーションノードに自ノードのＩＤを挿入し、ソースノードに主信号の伝送方向と逆方向（上流側）の受信回線設定テーブルのソースノードのＩＤをそのまま挿入して、回線設定テーブルを送信する。
【００１９】
スルー設定の場合は、主信号の伝送方向と逆方向（上流側）の受信回線設定テーブルのソースノードのＩＤとディスティネーションノードのＩＤを、そのまま信号の伝送方向（下流側）の送信回線設定テーブルに挿入して、回線設定テーブルを送信し、また主信号の伝送方向（下流側）の受信回線設定テーブルのソースノードのＩＤとディスティネーションノードのＩＤを、そのまま信号の伝送方向と逆方向（上流側）の送信回線設定テーブルに挿入して、回線設定テーブルを送信する。
【００２０】
このような回線設定テーブルを有するネットワークにおいて、あるノードで回線設定の削除が行なわれた場合には、信号の伝送方向と逆方向（上流側）のノードでは、回線設定テーブル上において、ソースノードのＩＤとディスティネーションノードのＩＤとが、ある特定の組み合わせ状態になるので、この状態を検出することによって、自ノードにおいてその回線の削除が可能なことを判断することができる。
【００２１】
図３は、回線削除が行なわれた場合の回線接続テーブルの状態変化を説明するものであって、(a) は終端ノードの回線を削除した状態を示し、(b) はこの状態における中間ノードの回線設定テーブルを示している。
【００２２】
回線接続が削除されたノードでは、送信回線設定テーブルのソースノードとディスティネーションノードに自ノードのＩＤを挿入する。従って、ドロップ設定が削除された回線の回線設定テーブルを、主信号伝送方向（下流側）から受信したノードの受信回線設定テーブルでは、ソースノードのＩＤとディスティネーションノードのＩＤとが、同一の値をとる。
【００２３】
この場合は、そのノードは、主信号伝送方向（下流側）のノードで回線設定が削除されているので、自ノードで回線設定を削除可能であると判断することができる。なお、回線接続が削除されたノードのＩＤの代わりに、ノードのＩＤ以外の特定の値を挿入してもよい。また、この特定の値を同一の値としてもよい。同一値の場合は、検出が容易になる。
【００２４】
本発明によれば、図２に示すようにして回線設定テーブルが自動的に構築される。そしてドロップ設定が削除された回線の回線設定テーブルは、図３に示すようにして更新されるので、ユーザから回線設定削除命令を受けたときは、主信号伝送方向（下流側）の受信回線設定テーブルのソースノードとディスティネーションノードのＩＤを比較して、一致した場合に、回線設定削除可能と判断することができ、回線設定の削除を実行することによって、回線設定テーブルが回線削除状態に更新される。
【００２５】
以下、本発明の課題を解決するための具体的手段とその作用とを記述する。
【００２６】
(1) 複数のノードを順次接続してなる通信ネットワークにおいて、回線の送信元ノードを示すソースノードＩＤと受信先ノードを示すディスティネーションノードＩＤとからなるテーブルを、このノードの主信号の上流側において上流側ノードからの受信テーブルと上流側ノードへの送信テーブルとに区分して設定し、このノードの主信号の下流側において下流側ノードからの受信テーブルと下流側ノードへの送信テーブルとに区分して設定した回線設定テーブルを各ノードに対応して備えることによって、複数の回線設定の管理を行なうようにした多重化装置において、下流側のノードにおいて回線設定を削除したとき、特定の値をソースノードＩＤとディスティネーションノードＩＤとに挿入した送信テーブルを作成して上流側へ送信することによって、上流側のノードにおいて、このノードの下流側の受信テーブルにおける、ソースノードＩＤとディスティネーションノードＩＤとが特定の値であることを検出したとき、上流側のノードにおいて回線の削除可能を判断する。
【００２７】
このように、下流側のノードにおいて回線を削除したとき、上流側のノードでは、受信テーブルにおける、ソースノードＩＤとディスティネーションノードＩＤとが特定の値であることを検出することによって、上流側のノードにおいて回線の削除可能であることを判断することができる。
【００２８】
(2) (1) の場合に、下流側のノードにおいてソースノードＩＤとディスティネーションノードＩＤとに挿入する特定の値を同一とする。
【００２９】
このようにすることによって、上流側のノードにおける検出の処理が容易になる。
【００３０】
(3) (1) の場合に、下流側のノードにおいてソースノードＩＤとディスティネーションノードＩＤとに挿入する特定の値を当該下流側のノードを示すＩＤとする。
【００３１】
このようにすることによって、下流側のノードにおいてソースノードＩＤとディスティネーションノードＩＤとに挿入する値の生成が容易になる。
【００３２】
(4) 複数のノードを順次接続してなる通信ネットワークにおける各ノードにおいて、回線の送信元ノードを示すソースノードＩＤと受信先ノードを示すディスティネーションノードＩＤとからなるテーブルを、このノードの主信号の上流側において上流側ノードからの受信テーブルと上流側ノードへの送信テーブルとに区分して設定し、このノードの主信号の下流側において下流側ノードからの受信テーブルと下流側ノードへの送信テーブルとに区分して設定した回線設定テーブルを格納するデータベース３と、ユーザから回線設定削除を指示するコマンドを受けたとき、データベース３に格納されている下流側の受信テーブルにおいてソースノードＩＤとディスティネーションノードＩＤとが特定の値であることを検出したことによって、回線削除命令を出力する回線削除判断部２と、主信号の上流側および下流側における他ノードからの受信回線設定テーブルをデータベース３に格納するとともに、データベース３に格納された他ノードへの送信回線設定テーブルを主信号の上流側および下流側に送出し、回線削除命令を受けたとき、データベース３における上流側への送信回線設定テーブルのソースノードＩＤとディスティネーションノードＩＤに特定の値を挿入する処理を行なう制御部４とを備えて、回線設定削除制御装置を構成する。
【００３３】
このように、下流側のノードにおいて回線を削除したとき、上流側のノードでは、受信テーブルにおける、ソースノードＩＤとディスティネーションノードＩＤとが特定の値であることが検出されるので、これによって、上流側のノードにおいて回線の削除可能であることをを判断することができる。
【００３４】
(5) (4) の場合に、制御部４が、上流側への送信回線設定テーブルのソースノードＩＤとディスティネーションノードＩＤに挿入する特定の値が同一であり、回線削除判断部２が下流側の受信テーブルにおけるソースノードＩＤとディスティネーションノードＩＤとにおいて検出する特定の値が同一である。
【００３５】
このようにすることによって、上流側のノードにおける検出の処理が容易になる。
【００３６】
(6) (4) の場合に、制御部４が、上流側への送信回線設定テーブルのソースノードＩＤとディスティネーションノードＩＤに挿入する特定の値が当該ノードを示すＩＤであり、回線削除判断部２が下流側の受信テーブルにおけるソースノードＩＤとディスティネーションノードＩＤとにおいて検出する特定の値が下流側のノードを示すＩＤである。
【００３７】
このようにすることによって、下流側のノードにおいてソースノードＩＤとディスティネーションノードＩＤとに挿入する値の生成が容易になる。
【００３８】
【発明の実施の形態】
以下、本発明の一実施形態を説明する。図４は、回線設定削除制御方式を示したものであって、図中において、１はユーザとの間で情報のインタフェースを行なうユーザインタフェース部、２は回線削除の可否を判断する回線削除判断部、３は回線設定テーブル等の情報を格納したデータベース、４は回線設定および削除の制御を行なう制御部、５は回線フレームに対するオーバヘッドバイト（ＯＨＢ）の多重／分離の処理を行なうＯＨＢ多重／分離部である。
【００３９】
ユーザインタフェース部１は、ユーザから回線設定を削除するコマンドを受けたとき、回線削除判断部２にコマンドを伝達する。回線削除判断部２では、データベース３に格納されている回線設定テーブルの情報に基づいて、回線設定を削除可能であるか否かを判断して、可能な場合は、制御部４に対して回線設定削除命令を送出する。
【００４０】
制御部４では、回線設定削除命令に応じてデータベース３を書き替えて、回線設定テーブルを回線設定がない状態に更新して、この回線設定テーブルをＯＨＢ多重／分離部５に送る。ＯＨＢ多重／分離部５では、回線設定テーブルをフレームのオーバヘッドバイトに乗せて、隣のノードに送信する。
【００４１】
オーバヘッドバイトに回線設定テーブルを乗せたフレームを受信したノードのＯＨＢ多重／分離部５では、オーバヘッドバイトから分離した回線設定テーブルを、データベースに格納する。
【００４２】
図５〜図８は、回線設定削除時における回線設定テーブルの状態変化を示す図(1) 〜(4) であって、(a) は回線の接続状態を示し、(a) はノードＡの回線設定テーブル、(b) はノードＢの回線設定テーブル、(c) はノードＣの回線設定テーブルである。図５〜図８は、ノードＡからノードＣに接続された回線設定を順次削除する場合を例示し、ノードＡ〜ノードＣはそれぞれＩＤ＝１〜３を有するものとする。
【００４３】
図５は、ノードＡからノードＣに回線が接続されているときの回線設定テーブルの状態を示し、回線は(a) に示すように、ノードＡからアッドされてノードＣからドロップしている。この場合、ノードＡではＷＥＳＴ側のみに回線接続を有するので、回線設定テーブルは(b) に示すように、ＷＥＳＴ側のみが作成される。ノードＢはＥＡＳＴ側とＷＥＳＴ側とに回線接続を有するので、(c) に示すように回線接続テーブルは、ＥＡＳＴ側とＷＥＳＴ側が作成される。ノードＣはＥＡＳＴ側のみに回線接続を有するので、(c) に示すように回線接続テーブルは、ＥＡＳＴ側のみが作成される。
【００４４】
この場合の各ノードの回線設定テーブルは、次のようにして作成される。最初、ノードＡがソースノードとして設定されたとき、ノードＡのＷＥＳＴ側の回線設定テーブルにおける、ＴＲＭＴのソースノード（Ｓ）のＩＤに、ノードＡのＩＤ１が書き込まれる。
【００４５】
ノードＡのＴＲＭＴの回線設定テーブルはノードＢに送信され、これによってノードＢではＥＡＳＴ側のＲＣＶのソースノードＩＤに１を書き込む。ノードＢではＥ→Ｗ方向の回線はスルーになるので、ＥＡＳＴ側のＲＣＶのテーブルは、そのままＷＥＳＴ側のＴＲＭＴのテーブルにコピーされる。
【００４６】
ノードＢのＷＥＳＴ側のＴＲＭＴの回線設定テーブルはノードＣに送信され、これによってノードＣではＥＡＳＴ側のＲＣＶのソースノードＩＤに１を書き込む。ＲＣＶのソースノードＩＤは、ＴＲＭＴのソースノードＩＤにコピーされる。ノードＣでは、ＴＲＭＴのディスティネーションノード（Ｄ）のＩＤにノードＣのＩＤ３を書き込む。
【００４７】
ノードＣのＴＲＭＴの回線設定テーブルはノードＢに送信され、これによってノードＢではＷＥＳＴ側のＲＣＶのソースノードＩＤに１を書き込み、ディスティネーションノードＩＤに３を書き込む。ノードＢでは回線がスルーになるので、ＷＥＳＴ側のＲＣＶのテーブルは、そのままＥＡＳＴ側のＴＲＭＴのテーブルにコピーされる。
【００４８】
ノードＢのＥＡＳＴ側のＴＲＭＴの回線設定テーブルはノードＡに送信され、これによってノードＡではＲＣＶのソースノードＩＤに１を書き込み、ディスティネーションノードＩＤに３を書き込むとともに、ＴＲＭＴのディスティネーションノードＩＤに３をコピーする。
【００４９】
さらにノードＡのＴＲＭＴの回線設定テーブルはノードＢに送信され、これによって、ＥＡＳＴ側のＲＣＶのディスティネーションノードＩＤに３が設定されるとともに、これがＷＥＳＴ側のＴＲＭＴのディスティネーションノードＩＤにコピーされる。
【００５０】
ノードＢのＷＥＳＴ側のＴＲＭＴの回線設定テーブルはノードＣに送信され、これによってノードＣではＲＣＶのディスティネーションノードＩＤに３を書き込む。
【００５１】
このようにして、ノードＡ〜ノードＣのすべてのＲＣＶとＴＲＭＴのテーブルに、ソースノードＩＤ１，ディスティネーションノードＩＤ３が書き込まれ、ノードＡをソースノードとし、ノードＣをディスティネーションノードとする、Ｅ→Ｗ方向の回線接続が設定される。
【００５２】
図６は、ノードＣの回線設定を削除した場合の回線設定テーブルの状態変化を示している。ノードＣにおいて回線設定を削除した場合には、ノードＣのＴＲＭＴのディスティネーションノードＩＤに、ノードＣのＩＤ３を書き込む。
【００５３】
ノードＣのＴＲＭＴの回線設定テーブルはノードＢに送信され、これによってノードＢではＷＥＳＴ側のＲＣＶのソースノードＩＤとディスティネーションノードＩＤに３が書き込まれる。
【００５４】
従って、ＷＥＳＴ側のＲＣＶのテーブルには、網目を施して示すように同じＩＤ３が並ぶので、回線設定削除可能なことを判断できる。従って、ノードＢにおいて回線設定削除の処理を行なうことができる。
【００５５】
ノードＢでは回線はスルーになるので、ＷＥＳＴ側のＲＣＶのテーブルは、斜線を施して示すように、そのままＥＡＳＴ側のＴＲＭＴのテーブルにコピーされる。
【００５６】
図７は、ノードＢの回線設定を削除した場合の回線設定テーブルの状態変化を示している。ノードＢにおいて回線設定を削除した場合には、網目を施して示すように、ノードＢのＥＡＳＴ側とＷＥＳＴ側の、ＴＲＭＴのソースノードＩＤとディスティネーションノードＩＤに、ともにノードＢのＩＤ２を書き込む。
【００５７】
ノードＢのＥＡＳＴ側のＴＲＭＴの回線設定テーブルはノードＡに送信され、これによってノードＡではＲＣＶのソースノードＩＤとディスティネーションノードＩＤに２を書き込むとともに、ＴＲＭＴのディスティネーションノードＩＤに２をコピーする。
【００５８】
ノードＡのＴＲＭＴの回線設定テーブルはノードＢに折り返され、これによって斜線を施して示すように、ノードＢのＥＡＳＴ側のＲＣＶのディスティネーションノードＩＤに２が書き込まれる。
【００５９】
図８は、ノードＡの回線設定を削除した場合の回線設定テーブルの状態変化を示している。ノードＡにおいて回線設定を削除した場合には、ノードＡのＴＲＭＴのソースノードＩＤとディスティネーションノードＩＤに、ともにノードＡのＩＤ１を書き込む。
【００６０】
ノードＡのＴＲＭＴの回線設定テーブルはノードＢに送信され、これによって網目を施して示すように、ノードＢのＥＡＳＴ側のＲＣＶのソースノードＩＤとディスティネーションノードＩＤに１が書き込まれる。
【００６１】
これによって、ノードＢの回線設定テーブルにおいて、ノードＡで回線設定が削除されたことが表示される。
【００６２】
回線設定テーブルは、図５〜図８に例示したような処理を行なうことによって、図２に示すような形式に自動的に構築される。ドロップ設定が削除された回線の回線設定テーブルは、図３に示すように更新され、図４に示す手順によってデータベース３に格納される。
【００６３】
ユーザからの回線設定削除命令を受けたとき、回線設定削除判断部２が、データベース３に格納されたＷＥＳＴ側（下流側）の受信回線設定テーブルのソースノードとディスティネーションノードを比較して、一致した場合に、制御部４に回線設定削除命令を出す。これによって制御部４によって、回線設定の削除が実行され、回線設定テーブルが更新される。
【００６４】
いま、図２に示す状態で、ユーザが、ノードＢにおいて、回線設定の削除を実行するコマンドを入力した場合、ＷＥＳＴ側（下流側）側のＲＣＶの回線設定テーブルでは、ソースノードＩＤとディスティネーションノードＩＤとが不一致なので、回線削除判断部２は、回線設定削除不可と判断し、従って回線設定の削除は実行されない。
【００６５】
図３に示す状態で、ユーザが、ノードＢにおいて、回線設定の削除を実行するコマンドを入力した場合、ＷＥＳＴ側（下流側）側のＲＣＶの回線設定テーブルは、ソースノードＩＤとディスティネーションノードＩＤとが一致しているので、回線削除判断部２は回線設定削除可能と判断し、制御部４に対して回線設定削除命令を出す。これによって制御部４によって、回線設定の削除が実行され、回線設定テーブルが更新される。
【００６６】
このような動作を行なうので、完全に接続されている回線の中間ノードの回線設定が誤って削除されることはない。
【００６７】
【発明の効果】
以上説明したように本発明によれば、回線設定テーブルを備えて、ノードにおける回線設定の管理を行うようにした多重化装置において、回線設定削除の可否の判断を自動的に行なえるようにしたので、回線削除を実行する際の操作性を改善するとともに、誤操作を防止して、安全性を向上することができる。
【００６８】
従って本発明によれば、複数のノードを有するネットワークの再構築を行なう際に、その処理を円滑に行なうことが可能となり、ネットワークの保守性を向上することができるようになる。
【図面の簡単な説明】
【図１】回線設定テーブルの構成例を示す図であって、(a) はノードにおける回線の信号伝送状態を示し、(b) は回線設定テーブルの内容を示す。
【図２】回線接続テーブルの構築方法を説明する図であって、(a) はノードＡからノードＣに回線が接続されている状態を示し、(b) はこの状態におけるノードＢの回線設定テーブルを示す。
【図３】回線削除が行なわれた場合の回線接続テーブルの状態変化を説明する図であって、(a) は終端ノードの回線を削除した状態を示し、(b) はこの状態における中間ノードの回線設定テーブルを示す。
【図４】回線設定削除制御方式を示す図である。
【図５】回線設定削除時における回線設定テーブルの状態変化を示す図(1) であって、(a) は回線の接続状態を示し、(b) はノードＡの回線設定テーブル、(c) はノードＢの回線設定テーブル、(d) はノードＣの回線設定テーブルである。
【図６】回線設定削除時における回線設定テーブルの状態変化を示す図(2) であって、(a) は回線の接続状態を示し、(c) はノードＢの回線設定テーブル、(d) はノードＣの回線設定テーブルである。
【図７】回線設定削除時における回線設定テーブルの状態変化を示す図(3) であって、(a) は回線の接続状態を示し、(b) はノードＡの回線設定テーブル、(c) はノードＢの回線設定テーブルである。
【図８】回線設定削除時における回線設定テーブルの状態変化を示す図(4) であって、(a) は回線の接続状態を示し、(b) はノードＡの回線設定テーブル、(c) はノードＢの回線設定テーブルである。
【図９】従来の回線設定の削除方法を説明する図である。
【符号の説明】
２  回線削除判断部
３  データベース
４  制御部
【図１】
0003706981.tif 000002
【図２】
0003706981.tif 000003
【図３】
0003706981.tif 000004
【図４】
0003706981.tif 000005
【図５】
0003706981.tif 000006
【図６】
0003706981.tif 000007
【図７】
0003706981.tif 000008
【図８】
0003706981.tif 000009
【図９】
0003706981.tif 000010